【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  少なくとも１つの第１のイオン性ポリマーおよび少なくとも１つの粘度プロモーターを含んでなる水性組成物であって、該少なくとも１つの第１のイオン性ポリマーがアニオン性ポリマーであり、該少なくとも１つの粘度プロモーターが、該少なくとも１つの第１のイオン性ポリマーの電荷とは反対の正味イオン電荷を持つ少なくとも１つの第２のイオン性ポリマーを含んでなり、該少なくとも１つの第１のイオン性ポリマーと該少なくとも１つの粘度プロモーターの電荷比が１より大：１であり、約５ダイン／ｃｍ２より大きい降伏応力を有する水性組成物。
【請求項２】  約１０ダイン／ｃｍ２より大きい降伏応力を有する請求項１に記載の水性組成物。
【請求項３】  約２０ダイン／ｃｍ２より大きい降伏応力を有する請求項１に記載の水性組成物。
【請求項４】  約７０ダイン／ｃｍ２より大きい降伏応力を有する請求項１に記載の水性組成物。
【請求項５】  約１０,０００ｃｐｓ未満のブルックフィールド粘度を有する請求項１に記載の水性組成物。
【請求項６】  約５,０００ｃｐｓ未満のブルックフィールド粘度を有する請求項４に記載の水性組成物。
【請求項７】  少なくとも１つの第１のイオン性ポリマーが、少なくとも約０.０４ｍ当量／ｇの正味アニオン電荷を持つ請求項１に記載の水性組成物。
【請求項８】  少なくとも１つの第１のイオン性ポリマーが、少なくとも１つのアニオン性多糖、アニオン性多糖誘導体およびアニオン性合成ポリマーを含んでなる請求項１に記載の水性組成物。
【請求項９】  少なくとも１つの第１のイオン性ポリマーが、カラゲーナン、ペクチンまたはアルギン酸ナトリウムである少なくとも１つのアニオン性多糖を含んでなる請求項１に記載の水性組成物。
【請求項１０】  少なくとも１つの第１のイオン性ポリマーが、カルボキシメチルセルロース、カルボキシメチルグアール、カルボキシメチルヒドロキシプロピルグアール、カルボキシメチルヒドロキシエチルセルロース、メチルカルボキシメチルセルロースまたはカルボキシメチルデンプンからなる少なくとも１つのアニオン性多糖誘導体を含んでなる請求項１に記載の水性組成物。
【請求項１１】  少なくとも１つの第１のイオン性ポリマーが、アニオン性のアクリルアミドコポリマー、両性アクリルアミドコポリマー、ポリアクリル酸またはアクリル酸コポリマーである少なくとも１つのアニオン性合成ポリマーを含んでなる請求項１に記載の水性組成物。
【請求項１２】  水中で１０重量％またはそれ未満の少なくとも１つの第１のイオン性ポリマーの溶液が、周囲温度で約１,０００ｃｐｓを越えるブルックフィールド粘度を有する請求項１に記載の水性組成物。
【請求項１３】  少なくとも１つの第１のイオン性ポリマーが、少なくとも１つのカルボキシメチルセルロースナトリウム；カルボキシメチルヒドロキシエチルセルロースナトリウム；ペクチン；カラゲーナン；カルボキシメチルグアールゴム；アルギン酸ナトリウム；アニオン性ポリアクリルアミドコポリマー；アルカリ可溶性ラテックス；カルボキシメチルメチルセルロース；およびカルボキシメチルヒドロキシプロピルグアールを含んでなる請求項１に記載の水性組成物。
【請求項１４】  少なくとも１つの第１のイオン性ポリマーがカルボキシメチルヒドロキシエチルセルロースであり、少なくとも１つの粘度プロモーターがジアリルジメチルアンモニウムクロリドのポリマーである請求項１に記載の水性組成物。
【請求項１５】  少なくとも１つの第１のイオン性ポリマーがカルボキシメチルセルロースであり、少なくとも１つの粘度プロモーターが、アジピン酸とジエチレントリアミンとの反応によって得られるポリアミノアミドのエピクロロヒドリン反応生成物である請求項１に記載の水性組成物。
【請求項１６】  少なくとも１つの第２のイオン性ポリマーが、少なくとも１つのカチオン性ポリアクリルアミド；ポリアミンとジカルボン酸との反応によって得られるポリアミノアミドのエピハロヒドリン反応生成物；またはジアリルジメチルアンモニウムクロリドのポリマーを含んでなる請求項１に記載の水性組成物。
【請求項１７】  少なくとも１つの第２のイオン性ポリマーが、少なくとも１つのカチオン性ポリアクリルアミド；ポリアミンとジカルボン酸との反応によって得られるポリアミノアミドのエピハロヒドリン反応生成物；ジアリルジメチルアンモニウムクロリドのポリマー、ポリアミド-エピクロロヒドリン樹脂、第四級モノマーの重合生成物、第四級モノマーと他の反応性モノマーとのコポリマー、および第四級エポキシドと水溶性ポリマーとの付加物を含んでなる請求項１に記載の水性組成物。
【請求項１８】  少なくとも１つの粘度プロモーターが、多価官能価を有する少なくとも１つの無機塩をさらに含有する請求項１に記載の水性組成物。
【請求項１９】  少なくとも１つの粘度プロモーターが、アルミニウム、マグネシウム、鉄(III)、カルシウムおよび亜鉛の塩からなる群から選択される少なくとも１つの多価金属カチオン塩を含んでなる請求項１に記載の水性組成物。
【請求項２０】  少なくとも１つの第２のイオン性ポリマーが、少なくとも約０.０５ｍ当量／ｇの電荷密度を有する請求項１に記載の水性組成物。
【請求項２１】  少なくとも１つのサイズ剤をさらに含んでなる請求項１に記載の水性組成物。
【請求項２２】  少なくとも１つのサイズ剤が、少なくとも１つのセルロース反応性のサイズ剤を含んでなる請求項２１に記載の水性組成物。
【請求項２３】  少なくとも１つのサイズ剤が、少なくとも１つのアルキルケテンダイマー、アルキルケテンマルチマー、コハク酸無水物、スチレンマレイン酸無水物、スチレンマレイン酸無水物コポリマー、デンプン、疎水性ラテックスポリマー、有機エポキシド、アシルハライド、脂肪酸無水物、および有機イソシアネートを含んでなる請求項２１に記載の水性組成物。
【請求項２４】  少なくとも１つの第１のイオン性ポリマーまたは少なくとも１つの第２のイオン性ポリマーのどちらかが存在しないことを除いて同一成分を同一濃度で含む組成物に比べ、少なくとも約１０％小さい重量水保持値を有する請求項１に記載の水性組成物。
【請求項２５】  少なくとも１つのサイズ剤；天然、半合成または合成ポリマー；顔料；クレイ；充填剤；殺生物剤；界面活性剤；帯電防止剤；消泡剤；バインダー；保持助剤；および強化剤からなる少なくとも１つの添加剤をさらに含んでなる請求項１に記載の水性組成物。
【請求項２６】  デンプンをさらに含んでなる表面サイジング組成物である請求項１に記載の水性組成物。
【請求項２７】  油分野のドリル泥である請求項１に記載の水性組成物。
【請求項２８】  油分野の破壊液である請求項１に記載の水性組成物。
【請求項２９】  水浄化組成物である請求項１に記載の水性組成物。
【請求項３０】  保持助剤である請求項１に記載の水性組成物。
【請求項３１】  紙を表面サイジングするための方法であって、以下の工程を含んでなる方法：
(ａ)紙を供給し、
(ｂ)この紙の少なくとも一方の表面に、請求項２６に記載の水性組成物を適用し、そして
(ｃ)この紙を乾燥して表面サイジングされた紙を得る。
【請求項３２】  請求項３１に記載の方法によって製造したサイジング紙。
【請求項３３】  少なくとも１つの粘度プロモーターが存在しないことを除いて同一の表面サイジング組成物でサイジングされた紙に比べ、ハーキュリーズ・サイズ試験によって測定したときに、より高いサイジングレベルを有する請求項３２に記載の紙。
【請求項３４】  少なくとも１つの粘度プロモーターが存在しないことを除いて同一の表面サイジング組成物でサイジングされた紙に比べ、より高いガーレイ多孔度を有する請求項３２に記載の紙。
【請求項３５】  顔料およびラテックスバインダーをさらに含んでなる紙被覆組成物である請求項１に記載の水性組成物。
【請求項３６】  紙を被覆するための方法であって、以下の工程を含んでなる方法：
(ａ)紙を供給し、
(ｂ)この紙の少なくとも一方の表面に、請求項１に記載の水性組成物を適用し、そして
(ｃ)この紙を乾燥して被覆された紙を得る。
【請求項３７】  請求項３６に記載の方法によって製造した被覆紙。
【請求項３８】  多孔性表面の多孔度を減少させる方法であって、該多孔性表面に請求項１に記載の組成物を適用することを含んでなる方法。
【請求項３９】  繊維シートを請求項１に記載の水性組成物で被覆することによって得られる被覆繊維シート。
【請求項４０】  約５００ｃｐｓ未満のブルックフィールド粘度を有する請求項１に記載の水性組成物。
【手続補正２】
【補正対象書類名】明細書
【補正対象項目名】００６１
【補正方法】変更
【補正の内容】
【００６１】
本発明の組成物は、第１のイオン性ポリマーまたは粘度プロモーターのいずれかを欠く組成物と比較して、増加した降伏応力を示す。さらに、調節剤を含む本発明の組成物は、調節剤を欠く組成物と比較して、増加した降伏応力を示す。本発明の組成物の降伏応力は、第１のイオン性ポリマーまたは粘度プロモーターの少なくとも１つが存在しないことを除いて同一の粘度および成分を有する組成物の降伏応力に比べ、好ましくは少なくとも約１０％高く、より好ましくは少なくとも約５０％高く、さらに好ましくは少なくとも約１００％高く、さらになお好ましくは少なくとも約２００％高い。
【手続補正３】
【補正対象書類名】明細書
【補正対象項目名】０１７３
【補正方法】変更
【補正の内容】
【０１７３】
対照においては、米国特許Ｎo.４,０３５,１９５の従来技術に従い、クエン酸との混合硫酸アルミニウムの溶液を、デンプン溶液に添加した。これらは、表８Ａの欄２および４に示されている。比較実験においては、本発明のカチオン性ポリマーを、デンプン／ＣＭＨＥＣ-４２０Ｈ溶液に添加した。これらは、表８Ａの欄１および３に示されている。これら組成物の一部を、十分量の水酸化アンモニウムの添加により、pＨ６.５(欄１および２)またはpＨ８.５(欄３および４)のどちらかに調整した。
【手続補正４】
【補正対象書類名】明細書
【補正対象項目名】０１７４
【補正方法】変更
【補正の内容】
【０１７４】
表８Ａに示すように、溶液粘度の増大は、従来技術の混合されたＣＭＨＥＣ／硫酸アルミニウム／クエン酸塩と比較して、本発明のＣＭＨＥＣ／カチオン性添加剤を用いる方が有意に大きいことがわかった。また、pＨ８.５において本発明の水保持が、対照の従来技術のものよりも有意に大きいことがわかった。即ち、米国特許Ｎo.４,０３５,１９５の従来技術におけるような混合された硫酸アルミニウム／クエン酸ナトリウム溶液の添加は、多くのサイズプレス応用では普通である高pＨ条件において溶液の水保持を改善するために、本発明においては機能的ではないことを示すことができた。
【手続補正５】
【補正対象書類名】明細書
【補正対象項目名】０１７６
【補正方法】変更
【補正の内容】
【０１７６】
比較例８Ｂ
ＣＭＣ-７Ｈ３Ｓの１％溶液を水中で調製し、粘度を測定した。１０００重量部のこの溶液に、２６重量部のＢacote ２０(Magnesium Elektron)炭酸ジルコニウムアンモニウムを撹拌しながら添加した。この溶液の粘度は、Ｂacote ２０の添加に伴って低下することがわかった。別の実験において、この粘度低下の効果は、広範囲の炭酸ジルコニウムアンモニウムの添加レベルにわたって見い出された。ＣＭＣおよびＣＭＣ／ジルコニウムの両溶液を追加の希釈水と混合して、約３００ｃｐｓ粘度の溶液を調製し、ＧＷＲ水保持を測定した。ジルコニウムを添加したおよび添加しない２つのＣＭＣ溶液は、極めて類似した水保持値を示すことがわかった。これらの結果を表８Ｂに示す。このように、米国特許Ｎo.５,３６２,５７３の従来技術におけるようなジルコニウム塩の添加は、溶液の水保持を改善するために、本発明においては機能的ではないことが示された。